(57)【特許請求の範囲】
【請求項１】
第１面（１１）及び前記第１面（１１）の反対側に位置する第２面（１２）を含み、前記第１面（１１）側から入射した光の一部を反射し、且つ前記第２面（１２）側から入射した光の一部を前記第１面（１１）から出射させるスクリーン（１０）と、
前記スクリーン（１０）の前記第１面（１１）が水平方向に対して成す角度が鋭角になるように前記スクリーン（１０）の下部又は側部の少なくともいずれかを支持する枠パネル（２０）と、
前記スクリーン（１０）の前記第１面（１１）側に位置し、水平方向において少なくとも部分的に前記スクリーン（１０）に重なる上端（３１１）を含む前面下部パネル（３１）と、前記前面下部パネル（３１）の上方に位置する開口（３５）と、を有する前面パネル（３０）と、
を備え、
前記前面パネル（３０）は、折り曲げ部を介して前記枠パネル（２０）の上端に連結されている、スクリーン装置（１）。
【請求項２】
第１面（１１）及び前記第１面（１１）の反対側に位置する第２面（１２）を含み、前記第１面（１１）側から入射した光の一部を反射し、且つ前記第２面（１２）側から入射した光の一部を前記第１面（１１）から出射させるスクリーン（１０）と、
前記スクリーン（１０）の前記第１面（１１）が水平方向に対して成す角度が鋭角になるように前記スクリーン（１０）の下部又は側部の少なくともいずれかを支持する枠パネル（２０）と、
前記スクリーン（１０）の前記第１面（１１）側に位置し、水平方向において少なくとも部分的に前記スクリーン（１０）に重なる上端（３１１）を含む前面下部パネル（３１）と、前記前面下部パネル（３１）の上方に位置する開口（３５）と、を有する前面パネル（３０）と、
前記枠パネル（２０）と前記前面パネル（３０）との間に位置し、前記枠パネル（２０）の下端又は前記前面パネル（３０）の下端に折り曲げ部を介して連結され、前記スクリーン（１０）の前記第１面（１１）に向けて映像光を放射する表示装置を支持する支持パネル（５０）と、
を備える、スクリーン装置（１）。
【請求項３】
前記スクリーン（１０）のうち前記枠パネル（２０）と重なっていない領域の下端（１３）と、前記前面下部パネル（３１）の前記上端（３１１）とを通る仮想直線が水平方向に対して成す角度が、１５°以上４５°以下である、請求項１又は２に記載のスクリーン装置（１）。
【請求項４】
前記スクリーン（１０）の前記第２面（１２）側において前記仮想直線よりも少なくとも部分的に上方に位置する第１背面パネル（４１）を有する背面パネル（４０）を備える、請求項３に記載のスクリーン装置（１）。
【請求項５】
第１面（１１）及び前記第１面（１１）の反対側に位置する第２面（１２）を含み、前記第１面（１１）側から入射した光の一部を反射し、且つ前記第２面（１２）側から入射した光の一部を前記第１面（１１）から出射させるスクリーン（１０）と、
前記スクリーン（１０）の前記第１面（１１）が水平方向に対して成す角度が鋭角になるように前記スクリーン（１０）の下部又は側部の少なくともいずれかを支持する枠パネル（２０）と、
前記スクリーン（１０）の前記第１面（１１）側に位置し、水平方向において少なくとも部分的に前記スクリーン（１０）に重なる上端（３１１）を含む前面下部パネル（３１）と、前記前面下部パネル（３１）の上方に位置する開口（３５）と、を有する前面パネル（３０）と、
を備え、
前記スクリーン（１０）のうち前記枠パネル（２０）と重なっていない領域の下端（１３）と、前記前面下部パネル（３１）の前記上端（３１１）とを通る仮想直線が水平方向に対して成す角度が、１５°以上４５°以下であり、
前記スクリーン（１０）の前記第２面（１２）側において前記仮想直線よりも少なくとも部分的に上方に位置する第１背面パネル（４１）を有する背面パネル（４０）を備え、
前記第１背面パネル（４１）は、折り曲げ部を介して前記枠パネル（２０）に連結されており、
前記第１背面パネル（４１）の幅は、前記スクリーン（１０）のうち前記枠パネル（２０）と重なっていない領域の幅に等しい、スクリーン装置（１）。
【請求項６】
前記背面パネル（４０）は、前記第１背面パネル（４１）の端部のうち前記枠パネル（２０）から遠位の端部に連結されている第２背面パネル（４２）を備え、
前記第２背面パネル（４２）は、前記第１背面パネル（４１）から上方へ広がっている、請求項４又は５に記載のスクリーン装置（１）。
【請求項７】
第１面（１１）及び前記第１面（１１）の反対側に位置する第２面（１２）を含み、前記第１面（１１）側から入射した光の一部を反射し、且つ前記第２面（１２）側から入射した光の一部を前記第１面（１１）から出射させるスクリーン（１０）と、
前記スクリーン（１０）の前記第１面（１１）が水平方向に対して成す角度が鋭角になるように前記スクリーン（１０）の下部又は側部の少なくともいずれかを支持する枠パネル（２０）と、
前記スクリーン（１０）の前記第１面（１１）側に位置し、水平方向において少なくとも部分的に前記スクリーン（１０）に重なる上端（３１１）を含む前面下部パネル（３１）と、前記前面下部パネル（３１）の上方に位置する開口（３５）と、を有する前面パネル（３０）と、
を備え、
前記スクリーン（１０）のうち前記枠パネル（２０）と重なっていない領域の下端（１３）と、前記前面下部パネル（３１）の前記上端（３１１）とを通る仮想直線が水平方向に対して成す角度が、１５°以上４５°以下であり、
前記スクリーン（１０）の前記第２面（１２）側において前記仮想直線よりも少なくとも部分的に上方に位置する第１背面パネル（４１）を有する背面パネル（４０）を備え、
前記背面パネル（４０）は、前記第１背面パネル（４１）の端部のうち前記枠パネル（２０）から遠位の端部に連結されている第２背面パネル（４２）を備え、
前記第２背面パネル（４２）は、前記第１背面パネル（４１）から上方へ広がっている、スクリーン装置（１）。
【請求項８】
前記第２背面パネル（４２）の幅は、前記前面パネル（３０）の前記開口（３５）の幅に等しい、請求項６又は７に記載のスクリーン装置（１）。
【請求項９】
前記枠パネル（２０）の下端又は前記前面パネル（３０）の下端に折り曲げ部を介して連結され、前記枠パネル（２０）、前記前面パネル（３０）及び前記背面パネル（４０）の下方に位置する下面パネル（６０）を備え、
前記背面パネル（４０）は前記下面パネル（６０）に対して固定されている、請求項４乃至８のいずれか一項に記載のスクリーン装置（１）。
【請求項１０】
第１面（１１）及び前記第１面（１１）の反対側に位置する第２面（１２）を含み、前記第１面（１１）側から入射した光の一部を反射し、且つ前記第２面（１２）側から入射した光の一部を前記第１面（１１）から出射させるスクリーン（１０）と、
前記スクリーン（１０）の前記第１面（１１）が水平方向に対して成す角度が鋭角になるように前記スクリーン（１０）の下部又は側部の少なくともいずれかを支持する枠パネル（２０）と、
前記スクリーン（１０）の前記第１面（１１）側に位置し、水平方向において少なくとも部分的に前記スクリーン（１０）に重なる上端（３１１）を含む前面下部パネル（３１）と、前記前面下部パネル（３１）の上方に位置する開口（３５）と、を有する前面パネル（３０）と、
を備え、
前記スクリーン（１０）のうち前記枠パネル（２０）と重なっていない領域の下端（１３）と、前記前面下部パネル（３１）の前記上端（３１１）とを通る仮想直線が水平方向に対して成す角度が、１５°以上４５°以下であり、
前記スクリーン（１０）の前記第２面（１２）側において前記仮想直線よりも少なくとも部分的に上方に位置する第１背面パネル（４１）を有する背面パネル（４０）を備え、
前記枠パネル（２０）の下端又は前記前面パネル（３０）の下端に折り曲げ部を介して連結され、前記枠パネル（２０）、前記前面パネル（３０）及び前記背面パネル（４０）の下方に位置する下面パネル（６０）を備え、
前記背面パネル（４０）は前記下面パネル（６０）に対して固定されている、スクリーン装置（１）。
【請求項１１】
前記前面パネル（３０）は、前記前面下部パネル（３１）から上方に延び、前記開口（３５）を挟んで対向する一対の前面側部パネル（３２）を有する、請求項１乃至１０のいずれか一項に記載のスクリーン装置（１）。
【発明の詳細な説明】
【技術分野】
【０００１】
本発明は、スクリーン、スクリーンを支持する枠パネル、及び前面パネルを備えるスクリーン装置に関する。
【背景技術】
【０００２】
スマートフォンなどの表示装置に表示される映像を立体的に表現するための装置が知られている。例えば特許文献１は、ポリエチレンテレフタレートフィルムを折り曲げて構成した四角錐台形状の部材をスマートフォンの画面の上に載置することにより、四角錐台形状の部材に立体映像を表示させることを提案している。
【先行技術文献】
【特許文献】
【０００３】
【特許文献１】意匠登録第１５５２７５２号公報
【発明の概要】
【発明が解決しようとする課題】
【０００４】
本発明は、単純な構造のスクリーン装置を用いて立体映像を表示させることを目的とする。
【課題を解決するための手段】
【０００５】
本発明は、第１面及び前記第１面の反対側に位置する第２面を含み、前記第１面側から入射した光の一部を反射し、且つ前記第２面側から入射した光の一部を前記第１面から出射させるスクリーンと、
前記スクリーンの前記第１面が水平方向に対して成す角度が鋭角になるように前記スクリーンの下部又は側部の少なくともいずれかを支持する枠パネルと、
前記スクリーンの前記第１面側に位置し、水平方向において少なくとも部分的に前記スクリーンに重なる上端を含む前面下部パネルと、前記前面下部パネルの上方に位置する開口と、を有する前面パネルと、
を備える、スクリーン装置である。
【０００６】
本発明によるスクリーン装置において、前記前面パネルは、前記前面下部パネルから上方に延び、前記開口を挟んで対向する一対の前面側部パネルを有していてもよい。
【０００７】
本発明によるスクリーン装置において、前記前面パネルは、折り曲げ部を介して前記枠パネルの上端に連結されていてもよい。
【０００８】
本発明によるスクリーン装置において、前記スクリーンのうち前記枠パネルと重なっていない領域の下端と、前記前面下部パネルの前記上端とを通る仮想直線が水平方向に対して成す角度が、１５°以上４５°以下であってもよい。
【０００９】
本発明によるスクリーン装置は、前記スクリーンの前記第２面側において前記仮想直線よりも少なくとも部分的に上方に位置する第１背面パネルを有する背面パネルを備えていてもよい。
【００１０】
本発明によるスクリーン装置において、前記第１背面パネルは、折り曲げ部を介して前記枠パネルに連結されており、
前記第１背面パネルの幅は、前記スクリーンのうち前記枠パネルと重なっていない領域の幅に等しくてもよい。
【００１１】
本発明によるスクリーン装置において、前記背面パネルは、前記第１背面パネルの端部のうち前記枠パネルから遠位の端部に連結されている第２背面パネルを備え、
前記第２背面パネルは、前記第１背面パネルから上方へ広がっていてもよい。
【００１２】
本発明によるスクリーン装置において、前記第２背面パネルの幅は、前記前面パネルの前記開口の幅に等しくてもよい。
【００１３】
本発明によるスクリーン装置において、前記枠パネルの下端又は前記前面パネルの下端に折り曲げ部を介して連結され、前記枠パネル、前記前面パネル及び前記背面パネルの下方に位置する下面パネルを備え、
前記背面パネルは前記下面パネルに対して固定されていてもよい。
【００１４】
本発明によるスクリーン装置は、前記枠パネルと前記前面パネルとの間に位置し、前記枠パネルの下端又は前記前面パネルの下端に折り曲げ部を介して連結され、前記スクリーンの前記第１面に向けて映像光を放射する表示装置を支持する支持パネルを備えていてもよい。
【発明の効果】
【００１５】
本発明によれば、単純な構造のスクリーン装置を用いて立体映像を表示させることができる。
【図面の簡単な説明】
【００１６】
【図１】スクリーン装置を前面パネル側から見た場合を示す斜視図である。
【図２】スクリーン装置を背面パネル側から見た場合を示す斜視図である。
【図３】図１のスクリーン装置をIII−III線に沿って見た場合を示す断面図である。
【図４】スクリーン装置に表示装置が搭載されている様子を前面パネル側から見た場合を示す斜視図である。
【図５】スクリーン装置に表示装置が搭載されている様子を背面パネル側から見た場合を示す斜視図である。
【図６】スクリーン装置の使用例を示す図である。
【図７】スクリーン装置を作製するためのブランク板の一例を示す平面図である。
【図８】ブランク板を折り曲げてスクリーン装置を構成する工程を示す図である。
【図９】ブランク板を折り曲げてスクリーン装置を構成する工程を示す図である。
【図１０】ブランク板を折り曲げてスクリーン装置を構成する工程を示す図である。
【図１１】ブランク板を折り曲げてスクリーン装置を構成する工程を示す図である。
【図１２】ブランク板を折り曲げてスクリーン装置を構成する工程を示す図である。
【図１３】スクリーン装置を折り畳む工程を示す図である。
【図１４】スクリーン装置を折り畳む工程を示す図である。
【図１５】スクリーン装置を折り畳む工程を示す図である。
【図１６】スクリーン装置を折り畳む工程を示す図である。
【図１７】スクリーン装置の一変形例を示す断面図である。
【発明を実施するための形態】
【００１７】
図１乃至図１６を参照して、本発明の一実施の形態について説明する。なお、本件明細書に添付する図面においては、図示と理解のしやすさの便宜上、縮尺および縦横の寸法比等を、実物のそれらから適宜変更し誇張してある。
【００１８】
スクリーン装置
図１乃至図５を参照して、スマートフォンなどの表示装置に表示される映像を立体的に表現するためのスクリーン装置１について説明する。図１及び図２はそれぞれ、本実施の形態によるスクリーン装置１を示す斜視図である。スクリーン装置１は、スクリーン１０、枠パネル２０及び前面パネル３０を少なくとも備える。スクリーン装置１は、背面パネル４０、支持パネル５０、下面パネル６０などのその他のパネルを更に備えていてもよい。図１は、スクリーン装置１を前面パネル３０側から見た場合を示し、図２は、スクリーン装置１を背面パネル４０側から見た場合を示している。また、図３は、図１のスクリーン装置１をIII−III線に沿って見た場合を示す断面図である。また、図４は、スクリーン装置１に表示装置１００が搭載されている様子を前面パネル３０側から見た場合を示す斜視図であり、図５は、スクリーン装置１に表示装置１００が搭載されている様子を背面パネル４０側から見た場合を示す斜視図である。スマートフォンなどの表示装置１００は、スクリーン１０と前面パネル３０との間に配置され、スクリーン１０に向けて映像光を放射する。
【００１９】
スクリーン装置１の各構成要素について説明する。
【００２０】
（スクリーン）
スクリーン１０は、スマートフォンなどの携帯型表示装置からの映像光が入射する第１面１１と、第１面１１の反対側に位置する第２面１２と、を含む。スクリーン１０としては、第１面１１側から入射した光の一部を反射し、且つ第２面１２側から入射した光の一部を透過させて第１面１１から出射させることができる部材が用いられ得る。例えば、スクリーン１０として、アクリル樹脂、ポリエチレンテレフタレート、ポリプロピレンなどの透明なプラスチックを含むフィルムを用いることができる。スクリーン１０の厚さは、好ましくは０．１ｍｍ以上である。これにより、スクリーン１０の剛性を適切に確保することができ、スクリーン１０が曲がったりスクリーン１０にシワが形成されたりすることを抑制できる。また、スクリーン１０の厚さは、好ましくは５ｍｍ以下である。これにより、後述するようにスクリーン装置１が折り畳み可能なタイプである場合に、スクリーン装置１の折り畳み性や携帯性を高めることができる。
【００２１】
スクリーン装置１の使用者は、第１面１１によって反射された映像光を第１面１１側から視認する。スクリーン１０が透明性を有しているので、使用者は、第１面１１によって反射された映像光に加えて、第２面１２側から入射してスクリーン１０を透過した光も視認する。このため、使用者は、スクリーン１０の奥側に映像が展開しているように感じることができ、例えば、映像を立体像のように感じることができる。
【００２２】
（枠パネル）
枠パネル２０は、スクリーン１０の第１面１１が水平方向Ｈに対して成す角度θ１が鋭角になるようにスクリーン１０の下部又は側部の少なくともいずれかを支持している。鋭角とは、０°超９０°未満の任意の角度である。本実施の形態において、枠パネル２０は、スクリーン１０の下部及び側部の両方を支持している。具体的には、枠パネル２０は、スクリーン１０の下部に第２面１２側から接してスクリーン１０を支持する下部枠パネル２１と、スクリーン１０の側部に第２面１２側から接してスクリーン１０を支持する一対の側部枠パネル２２と、を有している。図１及び図２に示すように、下部枠パネル２１と側部枠パネル２２とは一体的に構成されていてもよい。例えば、下部枠パネル２１及び側部枠パネル２２を含む枠パネル２０は、厚紙などの紙材によって構成されていてもよい。
【００２３】
枠パネル２０がスクリーン１０を支持する具体的な方法は任意である。例えば、枠パネル２０の下部枠パネル２１及び側部枠パネル２２が接着剤などによってスクリーン１０の第２面１２に貼り付けられていてもよい。また、枠パネル２０は、スクリーン１０の第１面１１側に位置するその他のパネルとの間でスクリーン１０を挟むことによってスクリーン１０を支持してもよい。
【００２４】
スクリーン１０の第１面１１が水平方向Ｈに対して成す角度θ１は、携帯型表示装置からの映像光がスクリーン１０によって使用者に向けて適切に反射されるよう設定される。角度θ１は、例えば５０°以上であり、５５°以上であってもよく、６０°以上であってもよい。また、角度θ１は、例えば８０°以下であり、７５°以下であってもよく、７０°以下であってもよい。
【００２５】
（前面パネル）
前面パネル３０は、スクリーン１０の第１面１１側に位置するパネルである。前面パネル３０は、前面パネル３０とスクリーン１０との間に配置されているスマートフォンなどの表示装置がスクリーン装置１の使用者によって視認されることを抑制する、という役割を果たすことができる。例えば、前面パネル３０は、水平方向Ｈにおいて少なくとも部分的にスクリーン１０に重なる上端３１１を含む前面下部パネル３１を有する。前面下部パネル３１の上端３１１は、支持パネル５０よりも上方に位置している。従って、前面下部パネル３１は、支持パネル５０に載置される表示装置１００が使用者によって視認されることを抑制することができる。これにより、使用者が、スクリーン１０に表示される映像に集中し易くなる。
【００２６】
また、前面パネル３０は、前面下部パネル３１の情報に位置する開口３５を有する。図１乃至図３に示す例において、前面パネル３０は、前面下部パネル３１から上方に延びる一対の前面側部パネル３２を有しており、一対の前面側部パネル３２に挟まれた領域に開口３５が画成されている。スクリーン装置１の使用者は、スクリーン１０に表示される映像を、開口３５を通して視認する。前面パネル３０が、開口３５を挟んで対向する一対の前面側部パネル３２を有することにより、使用者が、スクリーン１０に表示される映像により集中し易くなる。
【００２７】
前面パネル３０は、折り曲げ部Ｆ１を介して枠パネル２０の上端に連結されていてもよい。この場合、前面パネル３０は、枠パネル２０と同一の部材によって枠パネル２０と一体的に構成されており、例えば紙材によって構成されている。
【００２８】
図３において、符号Ｌ１が付された点線は、スクリーン１０のうち枠パネル２０と重なっていない領域の下端１３と、前面下部パネル３１の上端３１１とを通る仮想的な直線（以下、第１仮想直線とも称する）を表す。第１仮想直線Ｌ１は、スクリーン１０を見る使用者の視線の範囲の下限に相当する。第１仮想直線Ｌ１が水平方向Ｈに対して成す角度θ２は、使用者とスクリーン装置１との位置関係に応じて定められるが、例えば１５°以上であってもよく、２０°以上であってもよく、２５°以上であってもよい。また、角度θ２は、例えば４５°以下であってもよく、４０°以下であってもよく、３５°以下であってもよい。第１仮想直線Ｌ１が水平方向Ｈに対して成す角度θ２は、スクリーン１０の第１面１１が水平方向Ｈに対して成す角度θ１よりも小さい。
【００２９】
（背面パネル）
背面パネル４０は、スクリーン１０の第２面１２側に位置するパネルである。背面パネル４０の内面ＩＳは、スクリーン１０を見る使用者の視線に重なるように配置されている。例えば背面パネル４０は、枠パネル２０の下部枠パネル２１の上端から略水平方向Ｈに広がる第１背面パネル４１を有する。第１背面パネル４１は、スクリーン１０の第２面１２側において第１仮想直線Ｌ１よりも少なくとも部分的に上方に位置している。このため、スクリーン１０を見る使用者の視線が第１背面パネル４１に重なることができる。これにより、スクリーン１０に表示される映像を使用者に対して、第１背面パネル４１の内面ＩＳの上に浮かび上がっている立体像のように見せることができる。
【００３０】
第１背面パネル４１は、折り曲げ部Ｆ７を介して下部枠パネル２１の上端に連結されていてもよい。例えば、第１背面パネル４１は、後述するブランク板のような１枚の部材のうち枠パネル２０の一対の側部枠パネル２２の間に位置する部分を切り出して下部枠パネル２１の上端で折り返すことによって構成されていてもよい。この場合、図２に示すように、第１背面パネル４１の幅Ｗ１と、スクリーン１０のうち枠パネル２０と重なっていない領域の幅Ｖ１とが等しくなる。幅Ｖ１は、一対の側部枠パネル２２の間の距離と言い換えることもできる。
【００３１】
背面パネル４０は、第１背面パネル４１の端部のうち枠パネル２０から遠位の端部に連結されている第２背面パネル４２を備えていてもよい。第２背面パネル４２は、第１背面パネル４１から上方へ広がっている。第２背面パネル４２を設けることにより、スクリーン装置１の周囲が明るい場合であっても、第１背面パネル４１の内面ＩＳの上に浮かび上がっている立体像を使用者が視認し易くなる。
【００３２】
第２背面パネル４２は、第１背面パネル４１と一体的に構成されていてもよい。例えば、第１背面パネル４１と第２背面パネル４２とは、第１背面パネル４１と第２背面パネル４２との間に位置する中間背面パネル４３を介して連結されていてもよい。中間背面パネル４３は、図１及び図２に示すように、折り曲げ部Ｆ８を介して第１背面パネル４１に連結されており、また、折り曲げ部Ｆ９を介して第２支持パネル５２に連結されている。中間背面パネル４３の内面は、第２背面パネル４２の内面の一部に接着剤などによって貼り付けられていてもよい。
【００３３】
第２背面パネル４２は、後述するブランク板のような１枚の部材のうち前面パネル３０の一対の前面側部パネル３２の間に位置する部分を切り出すことによって構成されていてもよい。この場合、図２に示すように、第２背面パネル４２の幅Ｗ２と、前面パネル３０の開口３５の幅Ｖ２とが等しくなる。幅Ｖ２は、一対の前面側部パネル３２の間の距離と言い換えることもできる。
【００３４】
中間背面パネル４３は、後述するブランク板のような１枚の部材のうち一対の側部枠パネル２２の間に位置する部分を切り出すことによって構成されていてもよく、一対の前面側部パネル３２の間に位置する部分を切り出すことによって構成されていてもよい。また、中間背面パネル４３の内面ＩＳは、接着剤などによって第２背面パネル４２の内面ＩＳに貼り付けられていてもよい。
【００３５】
好ましくは、第１背面パネル４１、第２背面パネル４２などの背面パネル４０は、黒色顔料又は黒色染料を少なくとも部分的に含む内面ＩＳを有する。これにより、映像が背面パネル４０上でより目立つようになる。このため、スクリーン装置１の周囲が明るい場合であっても、使用者が映像を視認し易い。なお内面ＩＳとは、図３に示すように、スクリーン装置１を構成する各パネルの面のうち、枠パネル２０と前面パネル３０との間に配置される表示装置に近い側の面である。図３においては、スクリーン装置１を構成する各パネルの面のうち表示装置に遠い側の面（以下、外面とも称する）が符号ＯＳで表されている。
【００３６】
内面ＩＳの色は、黒色であってもよく、黒色以外の色であってもよい。例えば、内面ＩＳの色は、使用者が映像を視認し易いよう、映像の色に応じて定められていてもよい。例えば、内面ＩＳの色は、映像に含まれる主要な色の補色であってもよい。例えば、映像に含まれる主要な色が赤色である場合に、内面ＩＳの色が青緑色であってもよい。スクリーン装置１の各パネルを構成する材料として紙材を用いることにより、パネルの内面ＩＳに黒色などの色を容易に付与することができる。スクリーン装置１の各パネルの外面ＯＳには、画像、文字、記号などが印刷されていてもよい。
【００３７】
図２及び図３に示すように、背面パネル４０は挿入片４４を有していてもよい。挿入片４４は、例えば第２背面パネル４２の下端の一部から突出している。挿入片４４は、後述する下面パネル６０の差し込み孔６１に挿入されていてもよい。これにより、背面パネル４０を下面パネル６０に対して固定することができる。なお、背面パネル４０を下面パネル６０に対して固定する方法が、挿入片４４を用いる方法に限られることはない。
【００３８】
（支持パネル）
支持パネル５０は、スクリーン１０と前面パネル３０との間に位置し、表示装置を支持するパネルである。支持パネル５０は、枠パネル２０の下端又は前面パネル３０の下端に折り曲げ部を介して連結されていてもよい。本実施の形態において、支持パネル５０は、折り曲げ部Ｆ２を介して枠パネル２０の下端に連結されている第１支持パネル５１を有する。表示装置は、第１支持パネル５１の上に載置される。
【００３９】
第１支持パネル５１は、図３に示すように、水平方向Ｈに対して傾斜していることが好ましい。第１支持パネル５１が水平方向Ｈに対して成す角度θ３は、例えば１０°以上であってもよく、１５°以上であってもよく、２０°以上であってもよい。また、角度θ２は、例えば４０°以下であってもよく、３５°以下であってもよく、３０°以下であってもよい。好ましくは、第１支持パネル５１が水平方向Ｈに対して成す角度θ３は、第１仮想直線Ｌ１が水平方向Ｈに対して成す角度θ２よりも小さい。
【００４０】
第１支持パネル５１がスクリーン１０に対して成す角度θ４は、図３に示すように、角度θ１から角度θ３を減算した値に相当する。角度θ４は、例えば４０°以上６０°以下である。
【００４１】
図１及び図２に示すように、支持パネル５０は、第１支持パネル５１の側縁に折り曲げ部Ｆ４を介して連結され、第１支持パネル５１から下方に広がる一対の第２支持パネル５２を有していてもよい。第２支持パネル５２の下端は、少なくとも部分的に下面パネル６０に接している。第２支持パネル５２を設けることにより、水平方向Ｈに対して第１支持パネル５１が成す角度θ３を安定に維持することができる。
【００４２】
図２及び図３に示すように、支持パネル５０は、第１支持パネル５１の端部のうち枠パネル２０の下端から遠位の端部に折り曲げ部Ｆ３を介して連結されている第３支持パネル５３を有していてもよい。第３支持パネル５３は、図２に示す折り曲げ部Ｆ５を介して第２支持パネル５２の一部にも連結されていてもよい。
【００４３】
第３支持パネル５３は、前面パネル３０の前面下部パネル３１の内面ＩＳに貼り付けられている。支持パネル５０の第１支持パネル５１が枠パネル２０の下端に連結され、支持パネル５０の第３支持パネル５３が前面パネル３０に貼り付けられているので、支持パネル５０は、枠パネル２０と前面パネル３０の位置関係を定める役割を果たすこともできる。例えば、支持パネル５０は、枠パネル２０の下端と前面パネル３０の下端との間の間隔を一定に維持するという役割を果たすことができる。これにより、枠パネル２０の傾斜角度θ１を安定に維持することができる。
【００４４】
（下面パネル）
下面パネル６０は、枠パネル２０、前面パネル３０及び背面パネル４０の下方に位置するパネルである。下面パネル６０は、図１乃至図３に示すように、前面パネル３０の下端に折り曲げ部Ｆ６を介して連結されていてもよい。下面パネル６０は、後述するように、折り畳まれた状態のスクリーン装置１において最も外側に位置する。従って、下面パネル６０は、枠パネル２０、前面パネル３０及び背面パネル４０を保護する役割を果たすことができる。
【００４５】
図２及び図３に示すように、下面パネル６０は、背面パネル４０の挿入片４４が差し込まれる差し込み孔６１を有していてもよい。これにより、背面パネル４０を下面パネル６０に対して固定することができるので、背面パネル４０の姿勢を維持することができる。例えば、水平方向Ｈ１に対して第１背面パネル４１及び第２背面パネル４２が成す角度を一定に維持することができる。
【００４６】
スクリーン装置の使用方法
次に、図６を参照して、スクリーン装置１の使用方法の一例を説明する。なお、図６に示されている寸法及び角度の数値は一例に過ぎず、スクリーン装置１はその他の寸法や角度の状態においても使用され得る。
【００４７】
まず使用者は、スクリーン装置１の前面パネル３０が自身の側を向くようにスクリーン装置１を机の上に置く。続いて、スクリーン１０と前面パネル３０との間の支持パネル５０の上に携帯型表示装置１００を置く。
【００４８】
携帯型表示装置１００から放射された映像光は、スクリーン１０によって反射されて使用者へ向かう。また、使用者には、背面パネル４０側からスクリーン１０を透過した光も到達する。このため使用者は、スクリーン１０の奥側に映像が展開しているように感じることができる。
【００４９】
ここで本実施の形態においては、スクリーン装置１の前面パネル３０が、水平方向Ｈにおいて少なくとも部分的にスクリーン１０に重なる上端３１１を含む前面下部パネル３１を有している。このため、支持パネル５０に載置される表示装置が使用者によって視認されることを抑制することができる。これにより、使用者が、スクリーン１０に表示される映像に集中し易くなる。
【００５０】
また、前面下部パネル３１の上方では、一対の前面側部パネル３２の間に開口３５が画成されている。このため、使用者は、スクリーン１０に表示される映像を、開口３５を通して視認することができる。このことも、使用者がスクリーン１０に表示される映像に集中し易くなることに寄与する。
【００５１】
また、スクリーン１０の奥側には略水平方向Ｈに広がる第１背面パネル４１が設けられている。このため、スクリーン１０を見る使用者の視線が第１背面パネル４１に重なることができる。また、第１背面パネル４１は、黒色顔料又は黒色染料を少なくとも部分的に含む内面ＩＳを有している。これにより、スクリーン１０に表示される映像を使用者に対して、第１背面パネル４１の内面ＩＳの上に浮かび上がっている立体像のように見せることができる。
【００５２】
また、第１背面パネル４１の端部のうち枠パネル２０から遠位の端部においては、第１背面パネル４１から上方へ広がる第２背面パネル４２が設けられている。第２背面パネル４２は、黒色顔料又は黒色染料を少なくとも部分的に含む内面ＩＳを有している。これにより、映像が第１背面パネル４１上でより目立つようになる。
【００５３】
図６において、符号Ｌ１は、図５の場合と同様に、スクリーン１０のうち枠パネル２０と重なっていない領域の下端１３と、前面下部パネル３１の上端３１１とを通る第１仮想直線を表す。また、符号Ｌ２は、スクリーン１０の上端１４と第２背面パネル４２の上端４２１とを通る第２仮想直線を表す。使用者は、第１仮想直線Ｌ１と第２仮想直線Ｌ２との間の空間に現れる映像を良好に視認することができる。ここで上述のように、スクリーン装置１は、好ましくは、第１仮想直線Ｌ１が水平方向Ｈに対して成す角度θ２が１０°以上であるよう構成されている。これにより、図６に示すように、使用者がスクリーン装置１から離れた状態で映像を視認し易くなる。
【００５４】
スクリーン装置の作製方法
次に、図７乃至図１２を参照して、スクリーン装置１の作製方法の一例を説明する。ここでは、１枚のブランク板５からスクリーン装置１を作製する例について説明する。図７は、ブランク板５を示す平面図である。
【００５５】
ブランク板５は、図７の左側から順に、下面パネル６０と、折り曲げ部Ｆ６を介して下面パネル６０に連結されている前面パネル３０と、折り曲げ部Ｆ１を介して枠パネル２０に連結されている枠パネル２０と、折り曲げ部Ｆ２を介して枠パネル２０に連結されている支持パネル５０と、を備える。また、ブランク板５のうち前面パネル３０の一部及び枠パネル２０の一部を、折り曲げ部Ｆ７を残して切り出すことにより、背面パネル４０が構成されている。また、背面パネル４０の中間背面パネル４３の一部を、折り曲げ部Ｆ９を残して切り出すことにより、挿入片４４が構成されている。このように、スクリーン装置１の各構成要素は、１枚のブランク板５から構成されている。
【００５６】
次に、ブランク板５を折り曲げてスクリーン装置１を作製する方法について説明する。まず、図８に示すように、折り曲げ部Ｆ１に沿って枠パネル２０を前面パネル３０に対して折り曲げる。また、折り曲げ部Ｆ２に沿って支持パネル５０を枠パネル２０に対して折り曲げる。また、折り曲げ部Ｆ３に沿って第３支持パネル５３を第１支持パネル５１に対して折り曲げる。また、第３支持パネル５３を前面パネル３０に接着剤などを介して貼り付ける。
【００５７】
続いて、図９に示すように、折り曲げ部Ｆ４及び折り曲げ部Ｆ５を介して第２支持パネル５２を第１支持パネル５１及び第３支持パネル５３に対して折り曲げる。続いて、図１０に示すように、折り返された第２支持パネル５２の少なくとも一部が下面パネル６０に接触するように、折り曲げ部Ｆ６を介して前面パネル３０を下面パネル６０に対して折り曲げる。
【００５８】
続いて、図１１に示すように、折り曲げ部Ｆ７を介して背面パネル４０の第１背面パネル４１を枠パネル２０に対して折り曲げる。また、折り曲げ部Ｆ８を介して中間背面パネル４３を第１背面パネル４１に対して折り曲げる。また、折り曲げ部Ｆ９を介して第２背面パネル４２を中間背面パネル４３に対して折り曲げる。また、中間背面パネル４３を第２背面パネル４２の一部に接着剤などを介して貼り付ける。
【００５９】
続いて、図１２に示すように、背面パネル４０の挿入片４４を下面パネル６０の差し込み孔６１に挿入する。これにより、背面パネル４０を下面パネル６０に対して固定することができる。このようにして、１枚のブランク板５からスクリーン装置１を作製することができる。
【００６０】
スクリーン装置の折り畳み方法
続いて、図１３乃至図１６を参照して、スクリーン装置１を折り畳む方法の一例を説明する。まず、背面パネル４０の挿入片４４を下面パネル６０の差し込み孔６１から抜き取る。続いて、図１３に示すように、中間背面パネル４３を第２背面パネル４２の一部分に貼り合わせたままの状態で、第２背面パネル４２のその他の部分を第１背面パネル４１に重ね合わせる。続いて、折り曲げ部Ｆ４及び折り曲げ部Ｆ５を介した第２支持パネル５２の折り曲げを元に戻す。続いて、第１支持パネル５１及び第２支持パネル５２を横断する折り曲げ部Ｆ１０に沿って支持パネル５０を二つ折りの状態に折り畳んで、図１４に示すように、枠パネル２０と前面パネル３０とを支持パネル５０を介して重ね合わせる。
【００６１】
続いて、図１５に示すように、折り曲げ部Ｆ６を介して前面パネル３０を下面パネル６０に対して折り曲げて、前面パネル３０を支持パネル５０及び枠パネル２０を介して下面パネル６０に重ね合わせる。
【００６２】
続いて、図１６に示すように、下面パネル６０を横断する折り曲げ部Ｆ１１を介して、下面パネル６０の一部を折り曲げて前面パネル３０に重ね合わせる。このようにして、スクリーン装置１を小さく折り畳むことができる。
【００６３】
（変形例）
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００６４】
上述の実施の形態においては、携帯型表示装置１００を支持する支持パネル５０がスクリーン装置１に一体的に設けられている例を示した。しかしながら、これに限られることはなく、図１７に示すように、スクリーン装置１は、携帯型表示装置１００を支持する支持パネル５０を備えていなくてもよい。例えば、図示はしないが、スクリーン装置１とは別個の部材によって構成された支持台がスクリーン１０と前面パネル３０との間に配置され、この支持台によって携帯型表示装置１００が支持されていてもよい。この場合であっても、携帯型表示装置１００から放射される映像光に基づいてスクリーン１０に立体映像を表示させることができる。
【００６５】
また、上述の実施の形態においては、枠パネル２０、前面パネル３０及び背面パネル４０が同一のブランク板５から一体的に構成される例を示したが、これに限られることはない。例えば、図示はしないが、枠パネル２０、前面パネル３０及び背面パネル４０がそれぞれ別個の部材によって構成されていてもよい。この場合、各部材を組み合わせることによってスクリーン装置１を作製することができる。
【符号の説明】
【００６６】
１  スクリーン装置
５  ブランク板
１０  スクリーン
１１  第１面
１２  第２面
１３  下端
１４  上端
２０  枠パネル
２１  下部枠パネル
２２  側部枠パネル
３０  前面パネル
３１  前面下部パネル
３１１  上端
３２  前面側部パネル
３５  開口
４０  背面パネル
４１  第１背面パネル
４２  第２背面パネル
４３  中間背面パネル
４４  挿入片
５０  支持パネル
５１  第１支持パネル
５２  第２支持パネル
５３  第３支持パネル
６０  下面パネル
６１  差し込み孔
Ｆ１〜Ｆ１１  折り曲げ部
ＩＳ  内面
ＯＳ  外面
１００  携帯型表示装置
【要約】
【課題】単純な構造のスクリーン装置を用いて立体映像を表示させる。
【解決手段】スクリーン装置は、スクリーン、枠パネル、及び前面パネルを備える。スクリーンは、第１面及び第１面の反対側に位置する第２面を含み、第１面側から入射した光の一部を反射し、且つ第２面側から入射した光の一部を第１面から出射させる。枠パネルは、スクリーンの第１面が水平方向に対して成す角度が鋭角になるようにスクリーンの下部又は側部の少なくともいずれかを支持する。前面パネルは、スクリーンの第１面側に位置し、水平方向において少なくとも部分的にスクリーンに重なる上端を含む下部パネルを有する。また、前面パネルは、前面下部パネルの上方に位置する開口を有する。
【選択図】図１【図１】
0006656460.tif 000002
【図２】
0006656460.tif 000003
【図３】
0006656460.tif 000004
【図４】
0006656460.tif 000005
【図５】
0006656460.tif 000006
【図６】
0006656460.tif 000007
【図７】
0006656460.tif 000008
【図８】
0006656460.tif 000009
【図９】
0006656460.tif 000010
【図１０】
0006656460.tif 000011
【図１１】
0006656460.tif 000012
【図１２】
0006656460.tif 000013
【図１３】
0006656460.tif 000014
【図１４】
0006656460.tif 000015
【図１５】
0006656460.tif 000016
【図１６】
0006656460.tif 000017
【図１７】
0006656460.tif 000018